(57)【要約】【課題】スクリーンの前後幅の中央部からずれた位置で昇降コードをスクリーンに挿通したプリーツスクリーンにおいて、昇降操作時にスクリーンからボトムレールに作用する力によるボトムレールの傾動を防止し得るプリーツスクリーンを提供する。【解決手段】スクリーン４の前後幅の中央部からずれた位置で昇降コード５をスクリーンの昇降コード保持部３に挿通し、昇降コードの下端にボトムレールを取着して、該ボトムレールの昇降操作によりスクリーンを昇降可能としたプリーツスクリーンにおいて、ボトムレール１１の上端部に水平部１２を設け、該水平部１２の後端から下方に延びる垂直部１３を設け、垂直部の質量密度を水平部の質量密度より大きくしてボトムレール１１の重心Ｗを水平部１２の後端部下方に位置させ、該重心Ｗの上方でボトムレール１１に昇降コード５を取着した。【選択図】図１
2008266939.tif 000002
【特許請求の範囲】
【請求項１】
スクリーンの前後幅の中央部からずれた位置で昇降コードをスクリーンの昇降コード保持部に挿通し、前記昇降コードの下端にボトムレールを取着して、該ボトムレールの昇降操作により前記スクリーンを昇降可能としたプリーツスクリーンにおいて、
前記ボトムレールの上端部に水平部を設け、該水平部の後端から下方に延びる垂直部を設け、前記垂直部の質量密度を前記水平部の質量密度より大きくして前記ボトムレールの重心を前記水平部の後端部下方に位置させ、該重心の上方で前記ボトムレールに前記昇降コードを取着したことを特徴とするプリーツスクリーン。
【請求項２】
前記ボトムレールは、前記水平部と前記垂直部を構成する低質量密度の長尺形材と、前記垂直部に備えられる高質量密度の錘を備え、前記錘を断面縦長として前記ボトムレールの重心を前記水平部の後端下方に位置させたことを特徴とする請求項１記載のプリーツスクリーン。
【請求項３】
前記垂直部は、下方に向かって質量密度を徐々に大きくしたことを特徴とする請求項１記載のプリーツスクリーン。
【請求項４】
前記垂直部の後端面と、前記スクリーンの後端縁とを前後方向にほぼ揃えて位置させたことを特徴とする請求項１記載のプリーツスクリーン。
【請求項５】
前記錘の重心を、前記昇降コードの延長線上より後方に位置させたことを特徴とする請求項２記載のプリーツスクリーン。
【請求項６】
前記水平部に、前記昇降コードの下端を保持する空間を備えたことを特徴とする請求項１乃至５のいずれか１項に記載のプリーツスクリーン。
【請求項７】
前記錘に螺入したネジを前記垂直部に押し当てて、該錘の上下両端を前記形材に係合させることを特徴とする請求項２記載のプリーツスクリーン。
【請求項８】
前記垂直部には、前記ネジを押し当てる位置にリブを設けたことを特徴とする請求項７記載のプリーツスクリーン。
【請求項９】
前記水平部は、一部を開口した溝形として、前記昇降コードの下端とピッチ保持コードの下端を着脱可能に支持する取付具を挿入可能としたことを特徴とする請求項６記載のプリーツスクリーン。
【請求項１０】
生地の折り目に接合片を設け、前記接合片に前記昇降コードを挿通し、前記水平部で前記接合片を押し上げて、前記スクリーンを畳み込み可能としたことを特徴とする請求項１乃至８のいずれか１項に記載のプリーツスクリーン。
【請求項１１】
最下段の前記接合片を前記水平部に固定したことを特徴とする請求項１０記載のプリーツスクリーン。
【発明の詳細な説明】
【技術分野】
【０００１】
この発明は、プリーツスクリーンのボトムレールに関するものである。
【背景技術】
【０００２】
プリーツスクリーンは、上下方向にジクザグ状に折り曲げ可能としたスクリーンをヘッドボックスから吊下支持し、そのスクリーンを操作装置により昇降して採光量を適宜に調節するものである。
【０００３】
このようなプリーツスクリーンの一種類として、図１３（ａ）に示すように、上下方向中間部に折り目１を設けた生地２の上下両端縁に接合片３をそれぞれ設け、その接合片３を他の生地の接合片３に溶着等の手段により接合して、スクリーン４を形成したものがある。
【０００４】
このようなスクリーン４を備えたプリーツスクリーンでは、接合片（昇降コード保持部）３に昇降コード５を挿通し、その昇降コード５の下端にボトムレールを吊下支持し、スクリーン４の下縁をボトムレールに取着している。そして、そのボトムレールを昇降することにより図１３（ａ）に示すようにスクリーン４を下方へ引き延ばし、あるいは同図（ｂ）に示すようにスクリーン４を上方へ畳み込み可能である。
【０００５】
従って、このスクリーン４では昇降コードを挿通する挿通孔はスクリーン背面の接合片３に設けられるので、その挿通孔からの光洩れが防止される。
上記スクリーン４は、下方へ引き延ばしたとき、図１４（ａ）に示すように、折り目１の近傍ではスクリーン４を上下方向に引き伸ばす力に反発する力Ｆ１が発生し、接合片３近傍においても、スクリーン４を上下方向に引き伸ばす力に反発する力Ｆ２が発生する。
【０００６】
また、スクリーン４を上方へ畳み込んだとき、図１４（ｂ）に示すように、接合片３を積層させて上下方向に押圧する力Ｆ４が作用すると、生地２の折り目１近傍部分では、畳み込みに反発する力Ｆ３が発生する。
【０００７】
通常、ボトムレール６の前後幅は、上方に畳み込んだスクリーン４の前後幅程度に形成され、重心Ｗはその前後方向中央部に位置している。このようなボトムレール６では、図１５（ａ）に示すように、ボトムレール６がその昇降範囲の中間位置まで下降した状態では、ボトムレール６の後端近傍が昇降コード５に吊下支持される状態となるため、ボトムレール６の前端側が下がる方向に傾いて吊下支持される。
【０００８】
また、ボトムレール６が下限まで下降されると、図１５（ｂ）に示すように、スクリーン４の引き延ばしに反発する力Ｆ１により、ボトムレール６の前端側が持ち上がる方向に傾いて吊下支持される。
【０００９】
また、ボトムレール６が上限まで引き上げられると、図１５（ｃ）に示すように、力Ｆ３によりスクリーン４の折り目部分が拡がろうとするため、ボトムレール６の前端側が下がる方向に傾いて吊下支持される。
【００１０】
従って、ボトムレール６の昇降操作によりボトムレール６が前後方向に傾き、その傾き方向もボトムレール６の高さによって変化するため、美観上好ましくない。
図１６は、ボトムレール６を中間位置まで引き上げたとき、同ボトムレール６が水平方向となるように、ボトムレール６の前後方向後端部に重心Ｗを位置させた場合を示す。この場合には、同図（ａ）に示すように、ボトムレール６を下限まで下降させると、ボトムレール６の前端側が大きく持ち上げられて傾く。同図（ｂ）に示すように、ボトムレール６が中間位置まで引き上げられると、スクリーン４の前端側でボトムレール６を下方へ押し下げようとする力と、ボトムレール６の重心Ｗとが釣り合って、ボトムレール６はほぼ水平方向に保持される。
【００１１】
しかし、ボトムレール６を上限近傍まで引き上げると、図１６（ｃ）に示すように、力Ｆ３によりスクリーン４の折り目部分が拡がろうとするため、ボトムレール６の前端側が僅かに下がる方向に傾いて吊下支持される。
【００１２】
図１７は、ボトムレール６を下限まで下降させたとき、同ボトムレール６が水平方向となるように重心Ｗをボトムレール６の前端側に位置させた場合を示す。この場合には、同図（ａ）に示すように、ボトムレール６を下限まで下降させると、ボトムレール６はほぼ水平方向に保持されるが、同図（ｂ）に示すように、ボトムレール６が中間位置まで引き上げられると、スクリーン４の前端側でボトムレール６を下方へ押し下げようとする力Ｆ３により、ボトムレール６の前端側が下がる。
【００１３】
また、ボトムレール６を上限近傍まで引き上げると、図１７（ｃ）に示すように、力Ｆ３がさらに増大し、ボトムレール６がさらに傾いて吊下支持される。
【特許文献１】実公昭５８−１３８１７号公報
【特許文献２】特許第２６０６９４４号公報
【特許文献３】特許第３２４７７９２号公報
【発明の開示】
【発明が解決しようとする課題】
【００１４】
上記のようなプリーツスクリーンでは、スクリーンを昇降するためにボトムレールを昇降すると、ボトムレールが前後方向に傾動して、美観上好ましくない。
特許文献１にはカーテン下端の支持板に重錘を取り付けて、支持板のバランスを確保する構成が開示されているが、カーテンの昇降時に支持板の傾動を防止するための構成は開示されていない。
【００１５】
特許文献２には、上記スクリーンと同様なスクリーンを使用したプリーツカーテンが開示されているが、ウェイトバーの傾動防止に関する構成は開示されていない。
特許文献３には、ボトムレールの中心線上からオフセットした位置で昇降コードに吊下支持されるボトムレールの重心を、昇降コードによる吊下げ位置の真下に位置させて、ボトムレールを水平方向に吊下支持するプリーツカーテンが開示されている。しかし、ボトムレールの昇降操作時にスクリーンからボトムレールに作用する力によるボトムレールの傾きを抑制する構成は開示されていない。
【００１６】
この発明の目的は、スクリーンの前後幅の中央部からずれた位置で昇降コードをスクリーンに挿通したプリーツスクリーンにおいて、昇降操作時にスクリーンからボトムレールに作用する力によるボトムレールの傾動を防止し得るプリーツスクリーンを提供することにある。
【課題を解決するための手段】
【００１７】
請求項１では、スクリーンの前後幅の中央部からずれた位置で昇降コードをスクリーンの昇降コード保持部に挿通し、前記昇降コードの下端にボトムレールを取着して、該ボトムレールの昇降操作により前記スクリーンを昇降可能としたプリーツスクリーンにおいて、前記ボトムレールの上端部に水平部を設け、該水平部の後端から下方に延びる垂直部を設け、前記垂直部の質量密度を前記水平部の質量密度より大きくして前記ボトムレールの重心を前記水平部の後端部下方に位置させ、該重心の上方で前記ボトムレールに前記昇降コードを取着した。
【００１８】
請求項２では、前記ボトムレールは、前記水平部と前記垂直部を構成する低質量密度の長尺形材と、前記垂直部に備えられる高質量密度の錘を備え、前記錘を断面縦長として前記ボトムレールの重心を前記水平部後端下方に位置させた。
【００１９】
請求項３では、前記垂直部は、下方に向かって質量密度を徐々に大きくした。
請求項４では、前記垂直部の後端面と、前記スクリーンの後端縁とを前後方向にほぼ揃えて位置させた。
【００２０】
請求項５では、前記錘の重心を、前記昇降コードの延長線上より後方に位置させた。
請求項６では、前記水平部に、前記昇降コードの下端を保持する空間を備えた。
請求項７では、前記錘に螺入したネジを前記垂直部に押し当てて、該錘の上下両端を前記形材に係合させる。
【００２１】
請求項８では、前記垂直部には、前記ネジを押し当てる位置にリブを設けた。
請求項９では、前記水平部は、一部を開口した溝形として、前記昇降コードの下端とピッチ保持コードの下端を着脱可能に支持する取付具を挿入可能とした。
【００２２】
請求項１０では、生地の折り目に接合片を設け、前記接合片に前記昇降コードを挿通し、前記水平部で前記接合片を押し上げて、前記スクリーンを畳み込み可能とした。
請求項１１では、最下段の前記接合片を前記水平部に固定した。
【発明の効果】
【００２３】
本発明によれば、スクリーンの前後幅の中央部からずれた位置で昇降コードをスクリーンに挿通したプリーツスクリーンにおいて、昇降操作時に、ボトムレールの傾動を防止し得るプリーツスクリーンを提供することができる。
【発明を実施するための最良の形態】
【００２４】
以下、この発明を具体化した一実施の形態を図面に従って説明する。前記従来例と同一構成部分は同一符号を付して説明する。
図１に示すプリーツスクリーンは、上下方向に多数の折り目１を設けてジグザグ状に畳み込み可能とした生地２の１段おきの折り目に接合片（昇降コード保持部）３が形成されてスクリーン４が形成されている。前記接合片３は、スクリーン４の背面側に向かって凸となる折り目を所定の幅で接合して形成される。その接合方法は、生地２の幅方向に非連続となる超音波溶着を施したり、縫着あるいは接着剤による接着でも可能である。
【００２５】
また、前記接合片３に代えて、生地とは別体のリング部材や孔を備えた接合テープをしようすることもできる。
前記接合片３には昇降コード５が挿通され、その昇降コード５の下端にボトムレール１１が吊下支持されている。そして、昇降コード５を介してボトムレール１１を昇降することにより、図１（ａ）に示すようにスクリーン４を下方へ引き延ばし、あるいは同図（ｃ）に示すようにスクリーン４を上方へ畳み込み可能となっている。
【００２６】
このボトムレール１１は、断面縦長となる直方体状に形成されてその上端部がスクリーン４を上方へ押し上げる水平部１２として作用し、その水平部１２の前後両端が下方に延設されて垂直部１３が形成されている。そして、垂直部１３内に縦長の錘１４が収容され、その錘の重心は昇降コード５の取付位置より後方にオフセットされて、昇降コード５の取付位置の下方にボトムレールの重心Ｗが位置している。
【００２７】
また、ボトムレール１１はその後端面と生地２の後端縁とが前後方向にほぼ揃う位置で吊下支持され、最下段の接合片３は前記水平部１２の上面に取着されている。
このように構成されたボトムレール１１では、重心Ｗが昇降コード５の取付位置の下方に位置し、垂直部１３に錘１４を取着したことにより、垂直部１３の質量密度が水平部１２の質量密度より大きくなる。このため、図１（ａ）に示すように、ボトムレール１１を下限まで下降させたとき、ボトムレール１１の前端側で同ボトムレール１１を上方へ引き上げようとする力Ｆ２が作用するが、縦長のボトムレール１１は力Ｆ２による傾動を阻止するように動作する。また、スクリーン４の最下部の接合片３が、ボトムレール１１への昇降コード５の取付位置付近である水平部１２の上面に固定されているので、力Ｆ２は小さくなる。従って、ボトムレール１１は傾動し難い。
【００２８】
図１（ｂ）に示すように、ボトムレール１１を昇降範囲の中間位置まで引き上げると、ボトムレール１１上に積層されたスクリーン４には、畳み込みに反発する力Ｆ３が作用するが、縦長のボトムレール１１が力Ｆ３による傾動を阻止するように動作する。
【００２９】
さらに、図１（ｃ）に示すように、ボトムレール１１を上限近傍まで引き上げると、力Ｆ３はさらに大きくなるため、ボトムレール１１の前端側が僅かに下方に下がるが、縦長のボトムレール１１によりその傾動は抑制される。また、錘１４の取付位置を下方に下げれば、ボトムレール１１の傾動抑制効果をさらに向上させることができる。
【００３０】
図２は、ボトムレールの別例を示す。このボトムレール１５は、水平部１６の後端側が下方へ延設されて垂直部１７が形成され、断面Ｌ型に形成されている。前記垂直部１７の下部は、鉄等の質量密度の高い材質で形成されて錘１８が形成され、垂直部１７の上部及び水平部は、木材等の質量密度の低い材質で形成されている。そして、ボトムレール１５の重心Ｗが昇降コード５の取付位置の下方に位置している。
【００３１】
このように構成されたボトムレール１５では、重心Ｗが昇降コード５の取付位置の下方で水平部１６のやや下方に位置する。従って、図２（ａ）に示すように、ボトムレール１５を下限まで下降させたとき、スクリーン４の前端側でボトムレール１５を上方へ引き上げようとする力Ｆ２がわずかに作用するが、ボトムレール１５の垂直部１７の錘１８が力Ｆ２による傾動を阻止するように動作する。
【００３２】
また、図２（ｂ）に示すように、ボトムレール１５を昇降範囲の中間位置まで引き上げると、ボトムレール１５上に積層されたスクリーン４には、畳み込みに反発する力Ｆ３が作用するが、ボトムレール１５の垂直部１７の錘が力Ｆ３による傾動を阻止するように動作する。
【００３３】
さらに、図２（ｃ）に示すように、ボトムレール１５を上限近傍まで引き上げると、力Ｆ３はさらに大きくなるため、ボトムレール１５の前端側が僅かに下方に下がるが、垂直部１７の錘１８の作用によりその傾動は抑制される。
【００３４】
図３は、ボトムレールの更なる別例を示す。このボトムレール１９は、水平部２０の後端部から下方に延びる垂直部２１が形成され、その垂直部２１の下部に縦長の錘２２が取着されている。また、水平部２０の上面にスクリーン４の下端部が取着されるとともに、水平部２０に昇降コード５の下端が取着されている。なお、水平部２０の下面と錘２２の上端との間には、昇降コード５の下端を水平部２０に取着するための空間が確保されている。
【００３５】
このように構成されたボトムレール１９では、垂直部２１に縦長の錘２２を取着したことにより、図１に示すボトムレール１１と同様な作用効果を得ることができる。
図４は、ボトムレールの更なる別例を示す。このボトムレール２３は、形材で断面コ字状に形成された水平部２４の下辺後端部２６に縦長の錘２７が取着されて垂直部２５が形成されている。なお、水平部２４には昇降コード５の下端を取着するための空間が確保されている。
【００３６】
このように構成されたボトムレール２３では、垂直部２５として縦長の錘２７を取着したことにより、図１に示すボトムレール１１と同様な作用効果を得ることができる。
また、水平部２４は昇降コード５を上方へ導出するために、上辺のみに溝状の開口部を設けた形状としてもよい。
【００３７】
図５は、ボトムレールの更なる別例を示す。このボトムレール２８の水平部２９及び垂直部３０は、図３に示すボトムレール１９の水平部２０及び垂直部２１と同様な構成である。そして、垂直部３０の上端及び下端に縦長の錘３１を保持する錘受３２ａ，３２ｂが形成されている。
【００３８】
前記ボトムレール２８はアルミ等の比較的軽量な金属の押出形材で形成され、錘３１は鉄等の比重の重い金属板で形成される。また、水平部２９及び垂直部３０の前面は、スクリーン４の下端の生地２で覆われている。
【００３９】
このように構成されたボトムレール２８では、図３に示すボトムレール１９と同様な作用効果を得ることができるとともに、錘受３２ａ，３２ｂで錘３１を容易に保持することができる。また、錘受３２ｂの肉厚を厚くすれば、ボトムレールの重心をさらに下げることができる。
【００４０】
図６は、ボトムレールの更なる別例を示す。このボトムレール３３は、水平部３４の前端部及び後端部から下方に向かって湾曲しながら延びる垂直部３５が設けられ、垂直部３５の下端に取着される底辺３６は水平部３４より幅広に形成されて、断面紡錘形に形成されている。
【００４１】
また、水平部３４及び垂直部３５は、木材等の低質量密度の材料で形成され、その中心部には下端から水平部３４まで、昇降コード５を保持する収容部３５ａが形成され、その収容部３５ａの上方に昇降コード５を挿通するための挿通孔が形成されている。そして、昇降コード５を挿通孔及びに挿通して垂直部３５の下方へ引き出し、その昇降コード５の下端に結び目等の係止端を形成して、その係止端を収容部３５ａ内に引き込ませると、昇降コード５の下端にボトムレール３３が吊下支持される。
【００４２】
前記垂直部３５内の後部には、縦長の２個の錘３７ａ，３７ｂが上下に収容され、上方に位置する錘３７ａは、下方に位置する錘３７ｂより小さく形成されている。なお、底辺３６は垂直部３５とは別体として、昇降コード５及び錘３７ａ，３７ｂの取付後に垂直部３５に取り付ける構成とする。
【００４３】
このように構成されたボトムレール３３では、垂直部３５内の後部に縦長の錘３７ａ，３７ｂを取着したことにより、図３に示すボトムレール１９と同様な作用効果を得ることができる。また、錘を２個に分割し、下方に大きな錘３７ｂを配設したことにより、ボトムレールの重心を下げることができる。
【００４４】
図７は、ボトムレールの更なる別例を示す。このボトムレール３８は、水平部３９の後端部から下方に延びる垂直部４０が一体に形成され、水平部３９の前端から垂直部４０の下端にかけて、スクリーン４の下端の生地２で覆われている。そして、前記垂直部４０に縦長の錘４２が取着されている。なお、水平部３９には、昇降コード５の下端を水平部３９に取着するための空間が確保されている。
【００４５】
このように構成されたボトムレール３８では、図３に示すボトムレール１９と同様な作用効果を得ることができる。
図８は、ボトムレールの更なる別例を示す。このボトムレール４３は、水平部４４の後端部から下方に延び、さらに前方に延びる垂直部４５が一体に形成され、水平部４４の前端から垂直部４５の前端４７にかけて、スクリーン４の下端の生地２で覆われている。そして、前記垂直部４５に縦長の錘４８が収容されている。
【００４６】
このように構成されたボトムレール４３では、垂直部４５に縦長の錘４８を取着したことにより、図３に示すボトムレール１９と同様な作用効果を得ることができる。
図９は、ボトムレールの更なる別例を示す。このボトムレール４９はアルミ形材で形成され、断面縦長の板状の鉄等の錘５０にネジ５１を螺入し、そのネジ５１の先端を垂直部５２の内側面に押し当てることにより、錘５０の上下両端をリブ５３に押し当てて、錘５０をボトムレール４９に固定する構成としたものである。
【００４７】
前記垂直部５２は、僅かに後方に湾曲して形成され、その頂部内側にリブ５４が形成されている。そして、ネジ５１の先端をリブ５４に押し当てることにより、ネジ５１の押圧による垂直部５２の外側面の変形を防止するようになっている。また、錘５０を保持するリブ５３間は大きく開口されていて、ネジ５１を錘５０に容易に螺入可能となっている。
【００４８】
また、スクリーン４の下端を取着した生地押さえ５９がリブ５３に取着されて、錘５０がスクリーン４の下端部で覆い隠されている。
また、図１０に示すように、ボトムレール４９を上方へ引き上げると、スクリーン４がボトムレール４９上に畳み込まれる。この状態では、スクリーン４の後端縁とボトムレール４９の垂直部５２が、前後方向にほぼ連なるように位置している。
【００４９】
このように構成されたボトムレール４９では、図３に示すボトムレール１９と同様な作用効果を得ることができるとともに、錘５０を垂直部５２に容易に取着することができる。また、錘５０の露出を防止して美観を向上させることができる。
【００５０】
図９及び図１０に示すボトムレール４９では、昇降コード５及びピッチ保持コード６０を取付具６１に取着し、その取付具６１をボトムレール４９，５５の上部に保持する構成である。その具体的構成を以下に説明する。
【００５１】
図１１に示すように、ボトムレール５５の上端部に設けられた水平部６２には、昇降コード５及びピッチ保持コード６０を挿通可能とした溝部６３が開口され、その溝部６３の下方には、前記取付具６１を収容可能とした空間として収容部６４が形成されている。
【００５２】
前記取付具６１は合成樹脂で形成され、その水平片６５の中央部には前記昇降コード５とピッチ保持コード６０をそれぞれ挿通可能とした２つの挿通孔６６が形成されている。前記挿通孔６６の両側において、前記水平片６５の下面には係止部６７がそれぞれ設けられ、その係止部６７には前記昇降コード５あるいはピッチ保持コード６０の端部に設けられる結び目５ａ，６０ａを保持可能とした保持孔６８が形成されている。
【００５３】
そして、昇降コード５及びピッチ保持コード６０を取付具６１の上方から挿通孔６６に挿通し、その昇降コード５及びピッチ保持コード６０の端部に結び目５ａ，６０ａを形成して保持孔６８に保持させる。そして、取付具６１をボトムレール５５の側方から収容部６４内に挿入して所定の位置まで移動させると、図１２に示すように、昇降コード５及びピッチ保持コード６０がボトムレール５５に取着される。
【００５４】
この状態では、結び目５ａ，６０ａが水平片６５の下方に位置するため、結び目５ａ，６０ａがボトムレール５５の溝部６３から露出することはない。また、昇降コード５あるいはピッチ保持コード６０の長さを調整する場合には、ピンセット等で結び目５ａ，６０ａを水平片６５の下方からつまみ出し、その状態で昇降コード５あるいはピッチ保持コード６０上での結び目５ａ，６０ａの位置を調整すればよい。
【００５５】
上記のようなプリーツスクリーンでは、次に示す作用効果を得ることができる。
（１）ボトムレールの重心を、昇降コードの取付位置の下方に位置させたので、ボトムレールを昇降してスクリーンを昇降操作するとき、ボトムレールの傾動を抑制することができる。
（２）スクリーンの前後幅の中央部からずれた位置で昇降コードをスクリーンに挿通したプリーツスクリーンにおいても、ボトムレール重心を、昇降コードの取付位置の下方に位置させたので、スクリーンの昇降操作時のボトムレールの傾動を抑制することができる。
（３）図１に示すように、ボトムレール１１を縦長とし、その上端部で昇降コード５を取着することにより、重心Ｗの上方に昇降コード５を取着することができる。
（４）図２に示すように、ボトムレール１５の水平部１６の後端部に垂直部１７を設けて、ボトムレール１５の重心Ｗを水平部１６の後端側に位置させ、その重心Ｗの上方でボトムレール１５に昇降コード５を取着することができる。
（５）水平部の後端部から下方に延びる垂直部近傍に縦長の錘を取着したので、スクリーン４の昇降操作時に、ボトムレールの傾動を抑制することができる。
（６）図９に示すように、錘５０をネジ５１でボトムレール４９の垂直部５２に容易に取着することができる。
（７）図９に示すボトムレール４９では、錘５０を保持するリブ５３間が開口されているので、ネジ５１の螺入操作を容易に行なうことができる。
（８）図９及び図１０に示すボトムレール４９では、錘５０をスクリーン４の下端部で覆って美観を向上させることができる。
【００５６】
上記実施の形態は、以下の態様で実施してもよい。
・ボトムレールは、昇降コードの取付位置の下方に重心が位置するような形状であれば、任意の断面形状としてもよい。
・昇降コード５はスクリーン４の接合片以外に、スクリーンに取着したリング等の昇降コード保持部に挿通してもよい。
・スクリーン４は、上下両端に接合片を備えた多数枚の生地を、その接合片で上下方向に接続して形成してもよい。
【図面の簡単な説明】
【００５７】
【図１】（ａ）〜（ｃ）は一実施の形態のボトムレールを示す側面図である。
【図２】（ａ）〜（ｃ）はボトムレールの別例を示す側面図である。
【図３】ボトムレールの別例を示す側面図である。
【図４】ボトムレールの別例を示す側面図である。
【図５】ボトムレールの別例を示す側面図である。
【図６】ボトムレールの別例を示す側面図である。
【図７】ボトムレールの別例を示す側面図である。
【図８】ボトムレールの別例を示す側面図である。
【図９】ボトムレールの別例を示す側面図である。
【図１０】ボトムレールの別例を示す側面図である。
【図１１】ボトムレールと取付具を示す分解斜視図である。
【図１２】ボトムレールと取付具を示す断面図である。
【図１３】（ａ）（ｂ）はプリーツスクリーンの引き出し及び畳み込み動作を示す側面図である。
【図１４】（ａ）（ｂ）はプリーツスクリーンの引き出し及び畳み込み動作時にスクリーンに作用する力を示す側面図である。
【図１５】（ａ）〜（ｃ）はボトムレールの従来例を示す側面図である。
【図１６】（ａ）〜（ｃ）はボトムレールの従来例を示す側面図である。
【図１７】（ａ）〜（ｃ）はボトムレールの従来例を示す側面図である。
【符号の説明】
【００５８】
３…昇降コード保持部（接合片）、４…スクリーン、５…昇降コード、１１，１５，１９，２３，２８，３３，３８，４３，４９…ボトムレール、１２，１６，２０，２４，２９，３４，３９，４４，６２…水平部、１３，１７，２１，２５，３０，３５ａ，３５ｂ，４０，４５，５２…垂直部、Ｗ…重心。
【図１】
2008266939.tif 000003
【図２】
2008266939.tif 000004
【図３】
2008266939.tif 000005
【図４】
2008266939.tif 000006
【図５】
2008266939.tif 000007
【図６】
2008266939.tif 000008
【図７】
2008266939.tif 000009
【図８】
2008266939.tif 000010
【図９】
2008266939.tif 000011
【図１０】
2008266939.tif 000012
【図１１】
2008266939.tif 000013
【図１２】
2008266939.tif 000014
【図１３】
2008266939.tif 000015
【図１４】
2008266939.tif 000016
【図１５】
2008266939.tif 000017
【図１６】
2008266939.tif 000018
【図１７】
2008266939.tif 000019